(57)【特許請求の範囲】
【請求項１】
品物の一方側を目視可能に収納する凹部、及び、前記凹部の外縁に位置する略平板状の外縁部、を備え、透過性部材により構成されたパック部材と、
前記パック部材の前記凹部を貫通させる開口部、前記パック部材の前記外縁部の前記一方側に当接する外縁当接部、前記外縁当接部から前記開口部の内側へと延出された帯状連結部、及び、前記帯状連結部の延出方向先端側に連結され前記開口部より小さな大きさを備えた印刷表示部、を備えた第１プレートと、
前記第１プレートの前記外縁当接部と協働して前記パック部材の前記外縁部を挟み込む第２プレートと、
を有し、
前記パック部材の前記外縁部は、
当該外縁部の前記一方側に位置する前記第１プレートの前記外縁当接部から延出される前記帯状連結部を、当該外縁部の前記一方側から当該外縁部の他方側へと貫通させるための切り欠き部を備え、
前記帯状連結部の先端側と前記印刷表示部とは、
前記パック部材の前記凹部の内部に収納配置されている
ことを特徴とする品物用梱包物。
【請求項２】
請求項１記載の品物用梱包物において、
前記第１プレートの前記印刷表示部は、
当該第１プレートの製造時において第１プレートの母材から前記開口部が切り出される時に、切り残すことにより形成されている
ことを特徴とする品物用梱包物。
【請求項３】
請求項２記載の品物用梱包物において、
前記第２プレートは、
前記第１プレートの前記開口部に前記パック部材の凹部が貫通された後、前記第１プレートの前記外縁当接部と協働し前記パック部材の前記外縁部を挟み込み、その挟み込み状態で前記第１プレートの前記他方側に固定されている
ことを特徴とする品物用梱包物。
【請求項４】
請求項３記載の品物用梱包物において、
前記第１プレートは、
前記開口部から面方向に沿って第１方向側に前記帯状連結部を備えると共に、前記開口部から面方向に沿って前記第１方向と逆の第２方向側において前記第２プレートの一端と結合されている
ことを特徴とする品物用梱包物。
【請求項５】
開口部、前記開口部の外縁に位置する外縁当接部、前記外縁当接部から前記開口部の内側へと延出された帯状連結部、及び、前記帯状連結部の延出方向先端側に連結され前記開口部より小さな大きさを備えた印刷表示部、を備えた第１プレートの前記帯状連結部を曲げる又は反らすことにより、前記印刷表示部を前記開口部の枠外へ離脱させる第１手順と、
前記印刷表示部が離脱した状態の前記開口部に対し、品物を収納可能な凹部を備えた透過性部材のパック部材の前記凹部を挿入すると共に、前記パック部材のうち当該凹部の外縁に位置する略平板状の外縁部を前記第１プレートの前記外縁当接部に当接させる第２手順と、
前記挿入された前記パック部材の前記外縁部に設けられた切り欠き部に前記帯状連結部を貫通させつつ、前記第１手順で離脱させていた前記印刷表示部を、前記パック部材の前記凹部内に収納する第３手順と、
前記第２プレートと前記第１プレートの前記外縁当接部とにより前記パック部材の前記外縁部を挟み込み、その挟み込み状態で、第２プレートを前記第１プレートの前記他方側に固定する第４手順と
を有することを特徴とする品物用梱包物の組立方法。
【発明の詳細な説明】
【技術分野】
【０００１】
本発明は、品物を梱包するための品物用梱包物及びその組立方法に関する。
【背景技術】
【０００２】
従来、梱包された品物を目視可能に収納する品物用の梱包物が知られている（例えば、特許文献１参照）。この梱包物は、透明なパック部材の外縁部を、その裏側及び表側から台紙等のプレートで挟み込んだ構造となっている。パック部材には品物の前面側を収納する凹部が形成されており、この凹部に品物を収納した状態でパック部材が上記２つのプレートに挟み込み固定されることで、品物が梱包される。
【先行技術文献】
【特許文献】
【０００３】
【特許文献１】特許第３１３１７４５号公報
【発明の概要】
【発明が解決しようとする課題】
【０００４】
上記従来技術には特に記載されていないが、近年、上記凹部内に収納された品物の前面側に、例えば品物の宣伝等のための所望の印刷表示物を設けることが考えられつつある。しかしながら、この場合、専用の表示部材が必要となり、梱包部品数が増大する。また、当該表示部材が凹部内において位置ずれを起こさないようにするためには、位置ずれ防止用の部材も別途必要となる。この結果、梱包部品数がさらに増大するという問題があった。
【０００５】
本発明の目的は、梱包部品数を増大させることなく、凹部内での位置ずれの生じない印刷表示を実現することができる品物用梱包物及びその組立方法を提供することにある。
【課題を解決するための手段】
【０００６】
上記目的を達成するために、本願第１発明の品物用梱包物は、品物の一方側を目視可能に収納する凹部、及び、前記凹部の外縁に位置する略平板状の外縁部、を備え、透過性部材により構成されたパック部材と、前記パック部材の前記凹部を貫通させる開口部、前記パック部材の前記外縁部の前記一方側に当接する外縁当接部、前記外縁当接部から前記開口部の内側へと延出された帯状連結部、及び、前記帯状連結部の延出方向先端側に連結され前記開口部より小さな大きさを備えた印刷表示部、を備えた第１プレートと、前記第１プレートの前記外縁当接部と協働して前記パック部材の前記外縁部を挟み込む第２プレートと、を有し、前記パック部材の前記外縁部は、当該外縁部の前記一方側に位置する前記第１プレートの前記外縁当接部から延出される前記帯状連結部を、当該外縁部の前記一方側から当該外縁部の他方側へと貫通させるための切り欠き部を備え、前記帯状連結部の先端側と前記印刷表示部とは、前記パック部材の前記凹部の内部に収納配置されていることを特徴とする。
【０００７】
本願第１発明の品物用梱包物は、凹部を備えたパック部材と、上記凹部を貫通させる開口部を備えた第１プレートと、第２プレートとを有する。パック部材は透過性部材により構成されており、品物を凹部に収納した状態（梱包状態）では、品物の一方側（例えば前側）が目視可能となる。梱包状態では、パック部材の凹部の外縁に位置する外縁部が、当該外縁部の一方側に位置する第１プレートの外縁当接部と、当該外縁部の他方側に位置する第２プレートとによって挟みこまれ、固定されている。すなわち、上記一方側から他方側へ向かって、第１プレートの外縁当接部、パック部材の外縁部、第２プレートの順の３層構造となっている。
【０００８】
このとき、品物用梱包物は、所望の表示を行うための印刷表示部を備えており、この印刷表示部は、パック部材の凹部の内部に収納配置され、例えば品物の宣伝等のために用いられる。そして、本願第１発明においては、この印刷表示部は、第１プレートに備えられている。すなわち、外縁当接部から開口部の内側へと帯状連結部を延出しその延出方向先端側に印刷表示部を設けることで、印刷表示部を第１プレート内に一体的に組み込んでいる。これにより、印刷表示部を別部材で構成してパック部材の凹部に配置する場合に比べ、梱包部品数を低減することができる。また、例えば第１プレートの母材から切り出して開口部を形成する際に、印刷表示部や帯状連結部を切り残して形成するようにすれば、第１プレートを製造するときの材料の無駄も削減することができる。
【０００９】
但し、前述した３層構造においては、一方側から順に、第１プレートの外縁当接部、パック部材の外縁部、第２プレートの順で積層されている。したがって、パック部材の凹部内に他方側（後ろ側）から収納する印刷表示部を第１プレートと一体とした場合、そのままでは、帯状連結部や印刷表示部をパック部材の他方側（後ろ側）へ挿入配置することができない。そこで、本願第１発明においては、パック部材のうち帯状連結部に対応する部位に、切り欠き部を設けている。これにより、第１プレートの外縁当接部から延出される帯状連結部を、当該外縁部の一方側(前側)から他方側(前側)へと貫通させることができる。この結果、上記したような印刷表示部及び帯状連結部と第１プレートとの一体性を維持しながら、印刷表示部をパック部材の他方側から凹部内に収納配置することができる。また、このようにして凹部内の収納配置状態であっても印刷表示部は第１プレートの外縁部と連結され一体となっていることから、印刷表示部を別部材で構成してパック部材の凹部に配置する場合のような位置ずれ等の発生を抑制することができる。したがって位置ずれ防止のための別部材等を設置する必要がない。
【００１０】
以上のように、本願第１発明においては、専用の表示部材を設けずかつ無駄を削減しつつ印刷表示部によってパック部材の凹部内で品物の宣伝等のための表示を行うことができ、また専用の位置ずれ防止用の部材を設けることなく当該印刷表示部の位置ずれの発生を抑制することができる。
【００１１】
また、上記目的を達成するために、本願第５発明の品物用梱包物の組立方法は、開口部、前記開口部の外縁に位置する外縁当接部、前記外縁当接部から前記開口部の内側へと延出された帯状連結部、及び、前記帯状連結部の延出方向先端側に連結され前記開口部より小さな大きさを備えた印刷表示部、を備えた第１プレートの前記帯状連結部を曲げる又は反らすことにより、前記印刷表示部を前記開口部の枠外へ離脱させる第１手順と、前記印刷表示部が離脱した状態の前記開口部に対し、品物を収納可能な凹部を備えた透過性部材のパック部材の前記凹部を挿入すると共に、前記パック部材のうち当該凹部の外縁に位置する略平板状の外縁部を前記第１プレートの前記外縁当接部に当接させる第２手順と、前記挿入された前記パック部材の前記外縁部に設けられた切り欠き部に前記帯状連結部を貫通させつつ、前記第１手順で離脱させていた前記印刷表示部を、前記パック部材の前記凹部内に収納する第３手順と、前記第２プレートと前記第１プレートの前記外縁当接部とにより前記パック部材の前記外縁部を挟み込み、その挟み込み状態で、第２プレートを前記第１プレートの前記他方側に固定する第４手順とを有することを特徴とする。
【００１２】
本願第５発明の組立方法により組み立てられる品物用梱包物では、印刷表示部は、第１プレートに備えられている。すなわち、外縁当接部から開口部の内側へと帯状連結部を延出しその延出方向先端側に印刷表示部を設けることで、印刷表示部が第１プレート内に一体的に組み込まれている。これにより、印刷表示部を別部材で構成してパック部材の凹部に配置する場合に比べ、梱包部品数を低減することができる。また、例えば第１プレートの母材から切り出して開口部を形成する際に、印刷表示部や帯状連結部を切り残して形成するようにすれば、第１プレートを製造するときの材料の無駄も削減することができる。
【００１３】
但し、前述した３層構造においては、一方側から順に、第１プレートの外縁当接部、パック部材の外縁部、第２プレートの順で積層されている。したがって、パック部材の凹部内に他方側（後ろ側）から収納する印刷表示部を第１プレートと一体とした場合、そのままでは、帯状連結部や印刷表示部をパック部材の他方側（後ろ側）へ挿入配置することができない。そこで、本願第５発明においては、パック部材のうち帯状連結部に対応する部位に、切り欠き部を設けている。これにより、第１手順において帯状連結部を曲げる又は反らすことにより、印刷表示部を開口部の枠外へ離脱させておき、その後の第２手順において印刷表示部が離脱した状態の開口部に対しパック部材の凹部を挿入すると共にパック部材の略平板状の外縁部を第１プレートの外縁当接部に当接させ、さらに第３手順においてパック部材の外縁部の切り欠き部に帯状連結部を貫通させつつ、離脱させていた印刷表示部をパック部材の凹部内に収納することができる。このようにして、上記したような印刷表示部及び帯状連結部と第１プレートとの一体性を維持しながら、印刷表示部をパック部材の他方側から凹部内に収納配置することができる。また、このようにして凹部内の収納配置状態であっても印刷表示部は第１プレートの外縁部と連結され一体となっていることから、印刷表示部を別部材で構成してパック部材の凹部に配置する場合のような位置ずれ等の発生を抑制することができる。したがって位置ずれ防止のための別部材等を設置する必要がない。
【００１４】
以上のように、本願第５発明においては、専用の表示部材を設けずかつ無駄を削減しつつ印刷表示部によってパック部材の凹部内で品物の宣伝等のための表示を行うことができ、また専用の位置ずれ防止用の部材を設けることなく当該印刷表示部の位置ずれの発生を抑制することができる。
【発明の効果】
【００１５】
本発明によれば、梱包部品数を増大させることなく、凹部内での位置ずれの生じない印刷表示を実現することができる。
【図面の簡単な説明】
【００１６】
【図１】本発明の一実施の形態の梱包物の全体構成を表す正面図、横断面図、背面図である。
【図２】品物を入れるときの梱包物の分解斜視図である。
【図３】後プレートの背面図、パック部材の背面図、及び、前プレートの背面図である。
【図４】前プレートにパック部材を収納する手順を表す背面図である。
【図５】前プレートと後プレートとが一端で結合された変形例における、品物を入れるときの梱包物の分解斜視図である。
【発明を実施するための形態】
【００１７】
以下、本発明の一実施の形態を図面を参照しつつ説明する。図１、図２、及び図３に示すように、本実施形態では、例えば印字装置等の電子機器や、電池・カートリッジ等の電子機器の付属品等からなる、品物Ｑが、梱包物Ｐによって梱包された状態で店頭に陳列される。
【００１８】
梱包物Ｐは、透明な樹脂材料等の透過性部材によって構成されたパック部材１と、パック部材１の一方側、例えば前面側に設けられる紙部材による前プレート４（第１プレート）と、パック部材１の他方側、例えば背面側に設けられる紙部材による後プレート５（第２プレート）とを備えている。
【００１９】
パック部材１には、例えば矩形凹陥状の凹部２が備えられており、この凹部２に品物Ｑが収納されることにより、品物Ｑの前面側が目視可能となっている。パック部材１には、凹部２に収納された品物Ｑの背面側を覆うように、上記後プレート５が取り付けられる。これにより、凹部２に収納された品物Ｑが安定的に保持される。
【００２０】
また、パック部材１のうち、凹部２の外縁には、略平板状の外縁部３が備えられている。パック部材１の外縁部３の前面側に上記前プレート４が設けられる。この前プレート４の面内側には、パック部材１の凹部２を貫通させるための開口部４ａが形成されている。梱包状態では、パック部材１の凹部２の外縁に位置する外縁部３が、当該外縁部３の前面側に位置する前プレート４の外縁当接部４ｂと、当該外縁部３の背面側に位置する後プレート５とによって挟みこまれ固定されている。すなわち、図１（ｃ）に示すように、前面側から背面側へ向かって、前プレート４の外縁当接部４ｂ、パック部材１の外縁部３、後プレート５の順の３層構造となっている。この挟み込み構造により、前プレート４、パック部材１、後プレート５の３層が固定されることで品物Ｑが保持される。
【００２１】
このとき、梱包物Ｐは、所望の表示を行うための印刷表示部７を備えている。印刷表示部７は、パック部材１の凹部２の内部に収納配置され、例えば品物Ｑの宣伝等のために用いられる。
【００２２】
本実施形態では、この印刷表示部７は、前プレート４に備えられている。すなわち、図２および図３（ｃ）に示すように、外縁当接部４ｂから開口部４ａの内側へと狭幅な帯状連結部６が延出されている。そして、その延出方向の先端側に、広幅で且つ開口部４ａの大きさよりも小さい上記印刷表示部７が設けられることで、印刷表示部７が前プレート４内に一体的に組み込まれている。これら印刷表示部７や帯状連結部６は、例えば前プレート４の母材から抜き打ち加工等によって切り出して開口部４ａを形成する際に切り残して形成される。このようにすれば、前プレート４を製造するときの材料の無駄を削減することができる。しかも、印刷表示部７を別部材で構成してパック部材１の凹部２に配置する場合に比べ、梱包部品数を低減することができる。
【００２３】
ここで、前述したように、３層構造の梱包物Ｐにおいて、一方側から順に、前プレート４の外縁当接部４ｂ、パック部材１の外縁部３、後プレート５の順で積層されている。したがって、パック部材１の凹部２内に他方側から収納する印刷表示部７を上記のようにして前プレート４と一体とした場合、そのままではパック部材１の外縁部３が邪魔して、帯状連結部６や印刷表示部７をパック部材１の背面側へ挿入配置することができない。
【００２４】
そこで、本実施形態においては、図２および図３（ｂ）に示すように、パック部材１の外縁部３のうち帯状連結部６に対応する部位に、切り欠き部８を設けている。この切り欠き部８を利用し前プレート４にパック部材１を収納する手順について、図４を用いて以下詳細に説明する。
【００２５】
まず、ユーザは、上記図３（ｃ）に示した前プレート４の背面側を手前側にし、その状態で、図４（ａ）に示すように、前プレート４の帯状連結部６を曲げる又は反らすことにより、印刷表示部７を開口部４ａの枠外へ離脱させておく（第１手順）。これにより、上記図３（ｃ）で背面側のみが見える状態であった印刷表示部７が表向きとなり、当該印刷表示面（この例では「ＡＢＣＤ  ○○−××××」の表示面）が正対して見える状態になる。
【００２６】
その後、図４（ｂ）に示すように、印刷表示部７が離脱した状態の開口部４ａに対し、パック部材１の凹部２を挿入し、パック部材１のうち凹部２の外縁に位置する上記外縁部３を前プレート４の外縁当接部４ｂに当接させる（第２手順）。この際、パック部材１の切り欠き部８を帯状連結部６の位置に合わせるようにして凹部２を開口部４ａに挿入する。
【００２７】
その後、図４（ｃ）に示すように、挿入されたパック部材１の切り欠き部８に帯状連結部６を貫通させつつ、上記離脱させていた印刷表示部７を戻すようにしてパック部材１の凹部２内に収納する（第３手順）。このとき、例えば、外縁当接部４ｂと帯状連結部６との間の境界線ＢＬ１が山折りされるとともに、帯状連結部６と印刷表示部７との間の境界線ＢＬ２が谷折りされることにより、図４（ｄ）に示すように、印刷表示部７の前面である印刷表示面（「ＡＢＣＤ  ○○−××××」の表示面）側が凹部２の内面に当接される。その後、品物Ｑが凹部２内に収納される。
【００２８】
その後、後プレート５と前プレート４の外縁当接部４ｂとによりパック部材１の外縁部３を挟み込み、その挟み込み状態で当該後プレート５を前プレート４の他方側に固定する（第４手順）。これにより、図１（ｃ）や図２に示す状態の梱包物Ｐが完成する。
【００２９】
以上のようにして、本実施形態においては、パック部材１の外縁部３に設けた切り欠き部８に、前プレート４の外縁当接部４ｂから延出される帯状連結部６を貫通させることができる。これにより、印刷表示部７及び帯状連結部６と前プレート４との一体性を維持しながら、上述したようにして、印刷表示部７をパック部材１の背面側から凹部２内に収納配置することができる。また、このようにして凹部２内の収納配置状態であっても印刷表示部７は前プレート４の外縁当接部４ｂと連結され一体となっていることから、印刷表示部７を別部材で構成してパック部材１の凹部２に配置する場合に起こりうる位置ずれ等の発生を抑制することができる。この結果、本実施形態によれば、専用の表示部材を設けずかつ無駄を削減しつつ印刷表示部７によってパック部材１の凹部２内で品物Ｑの宣伝等のための表示を行うことができるとともに、また専用の位置ずれ防止用の部材を設けることなく当該印刷表示部７の位置ずれの発生を抑制することができる。
【００３０】
また、本実施形態では特に、前プレート４の母材から開口部４ａを切り出す際の切り残しを活用して印刷表示部７や帯状連結部６を形成することで、前プレート４を製造するときの材料の無駄も確実に削減することができる。
【００３１】
なお、本発明は、上記実施形態に限られるものではなく、その趣旨及び技術的思想を逸脱しない範囲内で種々の変形が可能である。以下、そのような変形例の一つについて図５を用いて説明する。
【００３２】
図５は、前プレート４と後プレート５とが一端で結合された変形例を示している。図５に示すように、本変形例では、前プレート４は、開口部４ａから面方向に沿って第１方向側(この例においては右側)に帯状連結部６を備えると共に、開口部４ａから面方向に沿って第１方向と逆の第２方向側(この例においては左側)において後プレート５の一端と結合されている。
【００３３】
本変形例においては、品物Ｑの収納の際には、上記のようにして前プレート４に一端が結合された後プレート５を、当該一端を回動支点として回動させることで前プレート４から離反した状態（図５参照）にしておく。この状態で、上記実施形態と同様、前プレート４の外縁当接部４ｂから延出される帯状連結部６を、パック部材１の切り欠き部８を介して外縁部３を貫通させ、印刷表示部７を凹部２内に収納配置する。すなわち、前述したように、帯状連結部６を曲げる又は反らすことにより印刷表示部７を開口部４ａの枠外へ離脱させておき、挿入されたパック部材１の切り欠き部８に帯状連結部６を貫通させつつ、離脱させていた印刷表示部７をパック部材１の凹部２内に収納する。そして、凹部２内に品物Ｑを収納した後、上記離反していた後プレート５を、上記一端を回動支点として前述とは逆方向に折り畳み方向に回動させ、前プレート４に密着させる。これにより、前述の３層構造を実現し、品物Ｑを固定し収納することができる。
【００３４】
本変形例においても、上記実施形態と同様の効果を得る。また、本変形例では特に、後プレート５の回動支点となる一端が、前プレート４の開口部４ａよりも上記第２方向側（図５の左上側）に設けられる一方、帯状連結部６は、前プレート４の開口部４ａよりも第１方向側（図５の右下側）に設けられている。これにより、上述の後プレート５の折り畳み動作が行われる側と上述の帯状連結部６を曲げる又は反らす動作が行われる側を、互いに反対側とすることができるので、梱包時における作業者の作業性を向上することができる。
【００３５】
また、以上既に述べた以外にも、上記実施形態や変形例による手法を適宜組み合わせて利用しても良い。
【００３６】
その他、一々例示はしないが、本発明は、その趣旨を逸脱しない範囲内において、種々の変更が加えられて実施されるものである。
【符号の説明】
【００３７】
１              パック部材
２              凹部
３              外縁部
４              前プレート（第１プレート）
４ａ            開口部
４ｂ            外縁当接部
５              後プレート（第２プレート）
６              帯状連結部
７              印刷表示部
８              切り欠き部
Ｐ              梱包物
Ｑ              品物
【図１】
0005435303.tif 000002
【図２】
0005435303.tif 000003
【図３】
0005435303.tif 000004
【図４】
0005435303.tif 000005
【図５】
0005435303.tif 000006